(57)【要約】      （修正有）【課題】ペットと同居可能なビルのエレベータを利用する時、他の一般利用者と一緒に乗り合わせることを防止する運転装置を提供する。【解決手段】ペット同伴者利用時のエレベータ運転装置において、感知手段３によりペットおよびペット同伴者がいることを感知し、乗かご内に乗客がいなくなった後に乗かごを呼ぶ専用呼び登録手段と、乗かごに乗込んだ後に目的階へ直通運転する直通運転手段とを設け、更に専用呼びを登録した時点からペット同伴者が乗りかごに乗込み目的階へ到着するまでの間、乗場に設けられているエレベータの運転方向灯４の点灯状態を点滅表示に切替えるようにし、なおかつ、ペット同伴者を伴わずＩＣタグ１を装着したペットのみが単独で乗場近傍にいる場合に限り、乗かごに設けた警報装置を鳴動させ、ペットのいる階へのエレベータのサービスを制限する。【選択図】図２
2007261746.tif 000002
【特許請求の範囲】
【請求項１】
ペットおよびペット同伴者各々が装着するＩＣタグの発信情報を捕捉し、前記ペットおよびペット同伴者であることを感知する、前記乗場に設置された感知手段を備えたエレベータのペット同伴者利用時のエレベータ運転装置において、前記乗場に設置された感知手段により、前記ペットおよびペット同伴者がいることを感知し、前記乗かご内に乗客がいなくなった後に前記乗かごを呼ぶ専用呼び登録手段と、前記乗かごに乗込んだ後に目的階へ直通運転する直通運転手段とを設けたことを特徴とするペット同伴者利用時のエレベータ運転装置。
【請求項２】
前記専用呼び登録手段により専用呼びを登録した時点から、ペット同伴者が乗りかごに乗込み目的階へ到着するまでの間、乗場に設けられているエレベータの運転方向灯の点灯状態を点滅表示に切替えることを特徴とする、請求項１記載のペット同伴者利用時のエレベータ運転装置。
【請求項３】
前記ペット同伴者を伴わず、前記ＩＣタグを装着したペットのみが単独で前記乗場近傍にいる場合に限り、前記ペット所有者の住居および前記乗かごに設けた警報装置を鳴動させるとともに、前記ペットのいる階へのエレベータのサービスを制限することを特徴とする、請求項１記載のペット同伴者利用時のエレベータ運転装置。
【発明の詳細な説明】
【技術分野】
【０００１】
本発明は、ペット同伴者利用時のエレベータ運転装置に関する。
【背景技術】
【０００２】
ペットを伴った利用者がエレベータを利用する場合、他の一般利用者と乗り合わせる可能性が極めて高く、前記一般利用者がペット嫌いの場合には多大の迷惑をかける。そこで、この問題点を解決するために、かご内の乗客がいなくなった後にその階床に乗りかごを呼び寄せる専用呼び登録手段を設けたものが提案されている。（特許文献１参照）。
【特許文献１】特開２００３−２５４８号公報
【発明の開示】
【発明が解決しようとする課題】
【０００３】
しかしこの提案では、乗場呼び釦および乗かご内の行先階登録釦を操作することが前提であり、例えばペットを伴った利用者の片方の手がペット、もう片方には手荷物がある場合には前記乗場呼び釦および乗かご内の行先階登録釦を操作することは非常に不便である。また、この提案では、一般利用者にはエレベータの状態がペット同伴者による専用運転中なのか否か乗場ですぐに判別できない煩わしさがある。更には、たまたまペットのみが単独で乗場近傍にいる場合、例えばエレベータの扉が開閉した際には、ペットが誤って乗かご内に迷い込むことや、ペットがひも付きになっているとエレベータの扉に挟まる可能性もあり、ペット自身が迷子になったり、身の危険性にさらされるリスクがある。
【０００４】
本発明の目的は、ペットと同居可能なビルのエレベータを利用する時、他の一般利用者と一緒に乗り合わせることを防止するとともに、上記の不便さやリスクを解消するペット同伴者利用時のエレベータ運転装置を提供することにある。
【課題を解決するための手段】
【０００５】
前記目的は、ペットおよびペット同伴者各々が装着するＩＣタグの発信情報を捕捉し、前記ペットおよびペット同伴者であることを感知する、前記乗場に設置された感知手段を備えたエレベータのペット同伴利用時のエレベータ運転装置において、前記乗場に設置された感知手段により、前記ペットおよびペット同伴者がいることを感知し、前記乗かご内に乗客がいなくなった後に前記乗かごを呼ぶ専用呼び登録手段と、前記乗かごに乗込んだ後に目的階へ直通運転する直通運転手段とを設け、更に前記専用呼び登録手段により専用呼びを登録した時点から、ペット同伴者が乗りかごに乗込み目的階へ到着するまでの間、乗場に設けられているエレベータの運転方向灯の点灯状態を点滅表示に切替えるようにし、なおかつ、前記ペット同伴者を伴わず、前記ＩＣタグを装着したペットのみが単独で前記乗場近傍にいる場合に限り、前記ペット所有者の住居および前記乗かごに設けた警報装置を鳴動させるとともに、前記ペットのいる階へのエレベータのサービスを制限することにより達成される。
【発明の効果】
【０００６】
このように、エレベータ運転装置の専用呼び登録手段によって、ペットを伴った利用客のために専用運転に切替えるようにしたため、ペットを伴った利用客は乗かご内に一般利用客がいなくなった後に乗かごに乗込むことになるため、ペット嫌いの他の一般利用者に接触して迷惑をかけることがない。さらに、専用呼びは乗場釦を操作することなく自動登録されるので、ペットを伴った利用客の両手が使えない場合でも全く問題なく乗かご内に乗込むことができる。また、ペットを伴った利用客が乗かご内に乗込んだ後は、行先階に向け直通運転するので、他の一般利用客が乗込むことがなく、この面でもペット嫌いの人に不快感や恐怖感を抱かせない。また、行先階呼び登録は、乗かご内の行先階釦を操作することなく自動で行うので、前期乗場呼び登録時と同様に、ペットを伴った利用客の両手が使えない場合でも全く問題なく行先階へ向かうことができる。一方で、前記専用呼び登録手段により専用呼びを登録した時点から、ペット同伴者が乗りかごに乗込み目的階へ到着するまでの間、乗場に設けられているエレベータの運転方向灯の点灯状態を点滅表示に切替えるようにしたので、エレベータの状態がペット同伴者による専用運転中なのか否か、一般利用者にとって乗場ですぐに判別できないという煩わしさも解消される。なおかつ、前記ペット同伴者を伴わず、前記ＩＣタグを装着したペットのみが単独で前記乗場近傍にいる場合に限り、前記ペット所有者の住居および前記乗かごに設けた警報装置を鳴動させるので、ペット自身の安全も確保できる。
【発明を実施するための最良の形態】
【０００７】
以下、本発明の実施形態を図を用いて説明する。
【０００８】
図２は、本発明の一実施形態となるペット同伴者利用時のエレベータ運転装置を備えたエレベータ乗り場の正面図である。図３は、本発明の一実施形態となるペット同伴者利用時のエレベータ運転装置を備えたペット所有者の住居およびエレベータ乗場と乗かごを示す側面図である。
【０００９】
各階床のエレベータ乗場には、図２，３いずれにも示すように乗場ドア７の近傍に、ペットおよびペット同伴者各々が装着するＩＣタグ１，２の発信情報を捕捉し、前記ペットおよびペット同伴者がエレベータ乗場近傍にいることを感知する感知手段３が設置され、この感知手段３の感知信号により、エレベータ運転装置はペットを伴った利用客専用の呼びを発生させている。一方で、前記ペット同伴者を伴わず、前記ＩＣタグ１を装着したペットのみが単独で前記乗場近傍にいる場合に限り、図３に示す前記ペット所有者の住居８および前記乗かご９に設けた警報装置５，６を鳴動させるとともに、前記ペットのいる階へのエレベータのサービスを制限させている。
【００１０】
図１は、本発明の一実施形態となるペット同伴者利用時のエレベータ運転装置の動作を示すフローチャートである。
【００１１】
今、ステップ１でエレベータ乗場近傍にペットおよびペット同伴者いずれもいるとする。このとき、乗場ドア７の近傍に設置された感知手段３が、前期ペットおよびペット同伴者各々が装着するＩＣタグ１，２の発信情報を捕捉する。すると、ステップ２でエレベータ運転装置は前期感知手段３から発する感知信号により前期ペットおよびペット同伴者がいると判断し、各階の乗場方向灯４を通常の点灯状態から点滅状態へ切替えると同時に、専用呼び登録を自動的に行い、その後における他階の乗り場呼び登録を不可とするとともに、それ以前に登録済みの行先階登録呼びに対して順次サービスを行う。
【００１２】
このようにして、他の階での一般利用客に対して専用呼びが発生していることを認知させつつ、ステップ３で、すでに登録済みの行先階呼びサービスが完了したか否かを判定し、このサービスが完了した後、即ち乗りかご９内に一般利用客がいなくなった後、ステップ４で専用呼び登録を行った所定の階床へと乗かご９を運転する。
【００１３】
所定の階に到着時点で、ステップ５でエレベータ運転装置は自動的に行先階の呼び登録を行なう。即ち、ペットを伴った利用客は乗かご９に乗込むだけで、エレベータは行先階へ向け直通運転を開始する。
【００１４】
ステップ６で前記行先階に到着時、全乗り場呼び登録を可能とするとともに、各階床の乗場方向灯４を点滅状態から通常の点灯状態へ復帰させ、ステップ７で通常運転に復帰する。
【００１５】
ところで、ステップ８でエレベータ乗場近傍にペット同伴者が伴わず、前記ＩＣタグ１を装着したペットのみが単独で前記乗場近傍にいる場合に限り、ステップ９で前記ペット所有者の住居８および前記乗かご９に設けた警報装置５，６を鳴動させるとともに、前記ペットのいる階へのエレベータのサービスを不可とする。前期ペットが乗場近傍からいなくなった時点で、通常のサービス状態へ復帰する。
【００１６】
なお、前記ＩＣタグ１，２は、物体の識別に利用される微小な無線ＩＣである。個別に識別コードなどの情報が記録可能であり、電波を使って周辺機器との情報を送受信する能力をもつ。このようなＩＣタグは、通信距離は数mm程度のものから数mのものがあり、用途に応じて使い分けられる。本実施形態では、１〜２m程度の通信距離を持つ中距離通信タイプのものを使用する。そして、前記ＩＣタグの記憶部には、タグ所持者識別コードや行先階などの個人情報をあらかじめを記録することができる。したがって、前記個人情報を感知できる感知装置３を設置すれば、その感知信号をエレベータ制御部へ送信することにより、前記ステップ１から９の動作を可能としている。
【図面の簡単な説明】
【００１７】
【図１】本発明の一実施形態となるペット同伴者利用時のエレベータ運転装置の動作を示すフローチャートである。
【図２】本発明の一実施形態となるペット同伴者利用時のエレベータ運転装置を備えたエレベータ乗り場の正面図である。
【図３】本発明の一実施形態となるペット同伴者利用時のエレベータ運転装置を備えたペット所有者の住居およびエレベータ乗場と乗かごを示す側面図である。
【符号の説明】
【００１８】
１  ペット装着ＩＣタグ
２  ペット同伴者装着ＩＣタグ
３  ＩＣタグ発信情報捕捉用感知装置
４  乗場方向灯
５  ペット同伴者住居内警報装置
６  乗かご設置警報装置
７  乗場ドア
８  ペット同伴者住居
９  乗かご
【図１】
2007261746.tif 000003
【図２】
2007261746.tif 000004
【図３】
2007261746.tif 000005